(57)【要約】【課題】  接着剤を用いず、極めて簡易にイヤホンカバーを取り付け可能とする。  【解決手段】  スピーカを備え耳孔に挿入されるイヤホン部と、一端側にマイクを備えた本体部とを有し、これらが一体化されてなるヘッドセットである。マイクロホン、プリント基板及び充電池を収容する本体ケース部と、該本体ケースの底面外側に設けられスピーカを収容するスピーカケース部とからなるケース部材と、本体ケース部及びスピーカケース部を覆う本体カバー及びイヤホンカバーを備える。イヤホンカバーは、スピーカケース部に対し圧入ボス及び１本のビスにより固定されている。また、このとき、接点基板もビスにより共締めされている。【選択図】  図３
2005109941.tif 000002
【特許請求の範囲】
【請求項１】
スピーカを備え耳孔に挿入されるイヤホン部と、一端側にマイクを備えた本体部とを有し、これらが一体化されてなるヘッドセットにおいて、
少なくともマイクロホン、プリント基板及び充電池を収容する本体ケース部と、該本体ケースの底面外側に設けられスピーカを収容するスピーカケース部とからなるケース部材と、
上記本体ケース部及びスピーカケース部を覆う本体カバー及びイヤホンカバーを備え、
上記イヤホンカバーは、上記スピーカケース部に対し圧入ボス及び１本のビスにより固定されていることを特徴とするヘッドセット。
【請求項２】
上記イヤホンカバーには、上記ビスによるネジ止めを行うためのビスボスが形成されていることを特徴とする請求項１記載のヘッドセット。
【請求項３】
上記充電池の充電用接点が設けられた接点基板を備え、当該接点基板が上記ビスによりイヤホンカバーと共締めされていることを特徴とする請求項１記載のヘッドセット。
【発明の詳細な説明】
【技術分野】
【０００１】
本発明は、耳に装着して無線通話等を行うヘッドセットに関するものであり、特に、イヤホンカバーの取り付け構造の改良に関する。
【背景技術】
【０００２】
ハンズフリーでの通話を可能とする装置として、スピーカやマイクを内蔵し、耳に装着して使用する、いわゆるヘッドセットが知られている。ヘッドセットの形態としては、いわゆるヘッドホンスタイルのものが多用されており、いずれか一方の耳当てからマイクが口元まで延長された形態のものが一般的である。
【０００３】
これに対して、無線通信のためのマイクロホンやスピーカ、回路基板、充電池等を全てカバーにて密閉されたケース部材内に収容し、より一層の小型化を図ったものが開発されている。このようなヘッドセットでは、指向性の高いマイクロホンを使用することで、マイクを口元まで延長する必要をなくし、使用感の一層の向上が図られている。
【０００４】
ところで、このようなヘッドセットにおいては、例えばイヤホン部にはスピーカを収容する必要があり、装置構成を簡略化するためには、イヤホン部のカバーの取り付け構造の簡略化が望まれる。
【０００５】
この種のカバーの取り付け構造としては、通常、接着剤を用いた方法が採用されている。接着剤によるカバーの取り付けは、作業が簡単で装置構造を簡略化できることから、カバーに限らず、種々の組み付けにおいて広く行われている（例えば、特許文献１等を参照）。
【特許文献１】特開平５−１５３６８３号公報
【発明の開示】
【発明が解決しようとする課題】
【０００６】
しかしながら、上述したようにイヤホンカバーを接着剤によってケース部材に取り付ける場合には、接着剤の塗布量のばらつきによる取付け不良が生じることがある。また、塗布する接着剤の量が多すぎた場合には、外側に接着剤がはみ出し、ヘッドセットの外観を損なうといった問題も生じている。
【０００７】
そこで、本発明は、このような従来の実情に鑑みて提案されたものであり、極めて簡易にイヤホンカバー取り付けが可能であり、しかも強固な取り付けを実現することが可能なヘッドセットを提供することを目的とする。また、本発明は、外観を損なうことなくイヤホンカバーを取り付けることが可能なヘッドセットを提供することを目的とする。
【課題を解決するための手段】
【０００８】
上述の目的を達成するために、本発明のヘッドセットは、スピーカを備え耳孔に挿入されるイヤホン部と、一端側にマイクを備えた本体部とを有し、これらが一体化されてなるヘッドセットにおいて、少なくともマイクロホン、プリント基板及び充電池を収容する本体ケース部と、該本体ケースの底面外側に設けられスピーカを収容するスピーカケース部とからなるケース部材と、上記本体ケース部及びスピーカケース部を覆う本体カバー及びイヤホンカバーを備え、上記イヤホンカバーは、上記スピーカケース部に対し圧入ボス及び１本のビスにより固定されていることを特徴とする。
【０００９】
本発明のヘッドセットでは、イヤホンカバーを圧入ボスと１本のビスにより固定している。したがって、接着剤使用時に問題となる接着剤の塗布量のばらつきによる取付け不良や、接着剤のはみ出しにより外観を損なうといった問題が解消される。また、取り付けに際しては、１本のビスのみを締め付けるだけでよく、構造や取り付け作業も簡略化される。
【００１０】
特に、充電池の充電用接点が設けられた接点基板を上記ビスによりイヤホンカバーと共締めするようにすれば、２つの部品が１つのビスで固定されることになり、構造が簡素化されるとともに、取り付け工数も低減される。
【発明の効果】
【００１１】
以上の説明からも明らかなように、本発明のヘッドセットによれば、極めて簡易にイヤホンカバー取り付けが可能であり、しかも強固な取り付けを実現することが可能である。また、本発明によれば、接着剤を用いていないので、外観を損なうことなくイヤホンカバーを取り付けることが可能である。
【発明を実施するための最良の形態】
【００１２】
以下、本発明を適用したヘッドセットについて、図面を参照して詳細に説明する。
【００１３】
本発明のヘッドセット１は、図１に示すように、略々たまご形の本体部２と、イヤホン部３とからなり、このイヤホン部３を使用者の耳孔に挿入することで装着される。そして、本体部２には、装着時に装着者の口の近くまで張り出す先端部分に集音用のマイクロホンが収容されており、装着者の耳孔内に挿入されるイヤホン部３には、スピーカがそれぞれ収容されている。マイクロホンが収容された側が前方となるように装着すれば、使用者は、受信した音声をイヤホン部３で聞き、マイクロホンを通じて音声を送信することができる。
【００１４】
上述したような構成のヘッドセット１において、本体部２やイヤホン部３はプラスチック製のケースにより覆われているが、このプラスチック製のケースは、略楕円形の浅皿状を呈する本体ケース部４ａと、この本体ケース部４ａの底面外側に設けられたスピーカケース部４ｂとからなるケース部材４と、このケース部材４の本体ケース部４ａの開放面側を覆うように強固に取り付けられる略楕円形状のドーム状を呈するカバー部材５と、ケース部材４のスピーカケース部４ｂの開放面側を覆うように強固に取り付けられるイヤホンカバー６とから構成されている。
【００１５】
ケース部材４には、本体部２を構成する本体ケース部４ａ部分に上述したマイクロホンや、回路基板等の電子部品、及びこれらの電源となる電池が収容されている。また、ケース部材４には、本体ケース部４ａの後方側にストラップ取付部１１が孔部として設けられている。さらに、ケース部材４のスピーカケース部４ｂ部分には、スピーカが収容されており、イヤホン部３を構成している。
【００１６】
カバー部材５は、ある程度剛性を有する硬質の材料、例えば透明プラスチックにて形成され、上述したように本体ケース部４ａの開放面側を覆うように強固にカバー部材４に対して取り付けられる。
【００１７】
カバー部材５は、本体ケース部４ａに収容されているマイクロホンやプリント基板等を保護する役割を果たすが、その一部に開口部が形成され、回路基板に設けられたスイッチ等を操作するボタン等が取り付けられている。本例では、カバー部材５の両側部に、操作ボタンを外部に臨ませるボタン用孔部５ａがそれぞれ形成されている。
【００１８】
イヤホンカバー６は、上述のカバー部材５と同様に硬質の材料にて形成され、上述したようにスピーカケース部４ｂの開放面側を覆うように強固にカバー部材４に対して取り付けられる。なお、イヤホンカバー６は、透明プラスチックではなく、例えばスピーカケース部４ｂと同色のプラスチック材料により形成されている。そして、このイヤホンカバー６は、スピーカケース部４ｂに収容されているスピーカを物理的に保護する。
【００１９】
また、イヤホンカバー６は、上述したように装着時に使用者の耳に挿入されるイヤホン部３を構成するが、内部に収容されたスピーカからの音を外部、具体的には使用者の耳内に放音するための複数個の放音孔（図示は省略する。）が形成されている。
【００２０】
次に、上記イヤホンカバー６の取り付け構造について説明する。図２は、イヤホンカバー６を取り付け面側から見た状態を示すものである。イヤホンカバー６は、プラスチック製の部材であるが、その一端側には、後述のビスが挿入、ネジ止めされるビスボス６ａが形成されている。このビスボス６ａは、ボスビスが挿入されるビス孔６ｂを有し、ここにケース部材４側からビスを挿入することで、イヤホンカバー６の固定が行われる。
【００２１】
また、イヤホンカバー６には、上記ビス用ボス６ａに加えて、２つの圧入孔６ｃ，６ｄが形成されている。この圧入孔６ｃ，６ｄには、ケース部材４のスピーカケース部４ｂに設けられた圧入ボスが圧入され、上記ビスによる固定と相俟って、上記イヤホンカバー６の取り付け状態を安定なものとする役割を果たしている。
【００２２】
図３は、イヤホンカバー６のスピーカケース部４ｂへの取り付け状態を示すものである。スピーカケース部４ｂには、上記圧入孔６ｃ，６ｄに対応して圧入ボス７が設けられており、取り付けに際しては、これが圧入孔６ｃ，６ｄに圧入される。同時に、ビス８がイヤホンカバー６のビスボス６ａに挿入され、ネジ止めされる。
【００２３】
このとき、本体ケース部４ａ内に取り付けられる充電池の接点基板９も上記ビス８により共締めすることで、２つの部品（イヤホンカバー６と接点基板９）を１つのビス８で固定することができ、構造の簡素化を図ることができる。
【００２４】
接点基板９は、内蔵される充電池の充電を行うための接点電極を有するものであり、本体ケース部４ａの底部に収納される。図４に示すように、本体ケース部４ａの底面に形成した充電用接点孔１０に接点を臨ませることで、例えば外部電源電極を接触させ、内蔵される充電池の充電を行うことができる。
【図面の簡単な説明】
【００２５】
【図１】本発明を適用したヘッドセットの一例を示す側面図である。
【図２】イヤホンカバーの平面図である。
【図３】イヤホンカバーの取り付け状態を示す側面図である。
【図４】ヘッドセットの底面図である。
【符号の説明】
【００２６】
１  ヘッドセット
２  本体部
４  ケース部材
４ａ  本体ケース部
５  カバー部材
６  イヤホンカバー
６ａ  ビスボス
６ｃ，６ｄ  圧入孔
７  圧入ボス
８  ビス
９  接点基板
【図１】
2005109941.tif 000003
【図２】
2005109941.tif 000004
【図３】
2005109941.tif 000005
【図４】
2005109941.tif 000006